(57)【要約】【課題】環形の蛍光ランプを用いた照明器具において、明るさ検出手段を一体的に設けるとともに、自発光の影響を小さくして、環境の明るさを一定に保つように自動制御できる照明装置を提供する。【解決手段】光源１４により照らされる被照射面２０の照度を検出する明るさ検出手段１８を、角形の器具本体１３の角部でかつ光源１４を覆うカバー部材１５の外に設けたので、光源１４による自発光の影響を小さくして被照射面２０の照度を検出することができる。このため、明るさ検出手段１８による検出値を受けて制御部１７が光源１４の光出力を制御する際に、周囲の環境の明るさを正確に把握して、環境の明るさを一定に保つように自動制御することができる。【選択図】図１
2010073610.tif 000002
【特許請求の範囲】
【請求項１】
光源と、前記光源を収容する器具本体と、前記器具本体に取り付けられて前記光源を覆うカバー部材と、前記光源を点灯させる点灯装置と、前記光源により照らされる被照射面の照度を検出する明るさ検出手段と、前記明るさ検出手段による検出値を受けて前記光源の光出力を制御する制御部とを備えた照明装置であって、
前記器具本体が角形であり、前記明るさ検出手段を前記器具本体の角部でかつ前記カバー部材の外に設けたことを特徴とする照明装置。
【請求項２】
前記光源は最外周に口金部を有する環形の蛍光ランプであり、前記蛍光ランプの中心点と前記明るさ検出手段を結ぶ直線上に前記口金部が配置されることを特徴とする請求項１記載の照明装置。
【発明の詳細な説明】
【技術分野】
【０００１】
本発明は、設置された環境の明るさを検出し、蛍光ランプの明るさを自動制御することができる照明装置に関するものである。
【背景技術】
【０００２】
従来より、会議室、オフィスなどの省電力を目的とした証明システムとして、照度センサにより周囲環境の照度を検出して、略一定の照度を保つように蛍光ランプの光出力を自動制御する照明器具が知られている。このような照明器具においては、照度センサが蛍光ランプの自発光を検出すると、周囲の正確な明るさを検出できないため、正確な制御ができない。このため、照度センサが自発光を検出しないようにすることが重要である。
【０００３】
例えば、図４（Ａ）に示す照明器具１００Ａは、照明器具１００Ａの端面部で蛍光ランプ１０５からできるだけ離れた位置にセンサ受光ユニット１０１を一体的に取り付けたセンサ受光ユニット一体型である。照明器具１００Ａは、例えば下方に開口した箱形の器具本体１０２と、この器具本体１０２の長手方向に沿って設けられた反射板１０３を有している。反射板１０３の両端部にはランプソケット１０４が設けられており、直管型の蛍光ランプ１０５が着脱可能に取り付けられている。センサ受光ユニット１０１は、明るさを検知する照度センサ１０１ａを有している。
【０００４】
また、図４（Ｂ）および（Ｃ）に示す照明器具１００Ｂ，１００Ｃは、照明器具１００Ｂ，１００Ｃの外側にセンサ受光ユニット１０１Ｂ，１０１Ｃを別個に設けた、センサ受光ユニット別置型である。図４（Ｂ）に示す照明器具１００Ｂは、矩形箱形の筐体１０６に照度センサ１０１ａを設けたものである。図４（Ｃ）に示す照明器具１００Ｃは、円筒形状の筐体１０７に照度センサ１０１ａを設けたものである。
【０００５】
しかしながら、これらの照明器具１００Ａ〜１００Ｃにおいては、センサ受光ユニット１０１を別途設ける必要があり、全体が大型化するという問題がある。
【０００６】
そこで、照度センサを器具本体の内部に設けて、コンパクト化を図った照明器具がある（例えば特許文献１参照）。
図５に示すように、特許文献１に記載の照明器具１１０では、下方に開口した矩形箱状の器具本体１１１を有しており、器具本体１１１内部には、蛍光ランプ１１２の光を反射する反射板１１３が取り付けられている。反射板１１３の端部には検知用穴が設けられており、この検知用穴の内部には周囲の明るさを検知する照度センサ１１４が取り付けられている。なお、検知用穴には筒状の遮光筒が取り付けられており、明るさを検知する際に蛍光ランプ１１２による自発光の影響を少なくしている。
【特許文献１】特開平１０−３０２５３５号公報（第１図）
【発明の開示】
【発明が解決しようとする課題】
【０００７】
ところで、近年、家庭用に用いられる照明器具においても、前述した照明器具１００、１１０と同様に、省電力の観点から、環境の明るさを略一定に保つように蛍光ランプの出力を自動制御することが行われるようになってきた。
しかしながら、家庭用の照明器具として一般的に用いられる環形の蛍光ランプを用いた場合には全体的に明るさが均一なので、前述した照明器具１００、１１０のように直管型の蛍光ランプ１０５、１１２を用いた場合のように、自発光の影響が少ない場所がない。さらに、家庭用の照明器具においては、カバー部材が設けられるのが一般的であり、カバー部材の内部においては自発光が乱反射するので、自発光の影響を受け易いという問題があった。
【０００８】
本発明は、従来の問題を解決するためになされたもので、環形の蛍光ランプを用いた照明器具において、明るさ検出手段を一体的に設けるとともに、自発光の影響を小さくして、環境の明るさを一定に保つように自動制御できる照明装置を提供することを目的とする。
【課題を解決するための手段】
【０００９】
本発明の照明装置は、光源と、前記光源を収容する器具本体と、前記器具本体に取り付けられて前記光源を覆うカバー部材と、前記光源を点灯させる点灯装置と、前記光源により照らされる被照射面の照度を検出する明るさ検出手段と、前記明るさ検出手段による検出値を受けて前記光源の光出力を制御する制御部とを備えた照明装置であって、前記器具本体が角形であり、前記明るさ検出手段を前記器具本体の角部でかつ前記カバー部材の外に設けた構成を有している。
【００１０】
この構成により、光源により照らされる被照射面の照度を検出する明るさ検出手段を、角形の器具本体の角部でかつ光源を覆うカバー部材の外に設けたので、明るさ検出手段を一体的に設けながら、光源による自発光の影響を小さくして被照射面の照度を検出することができる。このため、明るさ検出手段による検出値を受けて制御部が光源の光出力を制御する際に、周囲の環境の明るさを正確に把握して、環境の明るさを一定に保つように自動制御することができる。
【００１１】
また、本発明の照明装置は、前記光源は最外周に口金部を有する環形の蛍光ランプであり、前記蛍光ランプの中心点と前記明るさ検出手段を結ぶ直線上に前記口金部が配置された構成を有している。
【００１２】
この構成により、明るさ検出手段を、蛍光ランプの中心点と口金部とを結ぶ直線の延長上に配置したので、蛍光ランプの自発光は口金部により遮られて明るさ検出手段に直接照射されない。これにより、光源による自発光の影響を小さくして被照射面の照度を検出することができ、環境の明るさを一定に保つように自動制御できる。
【発明の効果】
【００１３】
本発明は、光源により照らされる被照射面の照度を検出する明るさ検出手段を、角形の器具本体の角部でかつ光源を覆うカバー部材の外に設けたので、明るさ検出手段を一体的に設けながら、光源による自発光の影響を小さくして被照射面の照度を検出することができる。このため、明るさ検出手段による検出値を受けて制御部が光源の光出力を制御する際に、周囲の環境の明るさを正確に把握して、環境の明るさを一定に保つように自動制御することができるものである。
【発明を実施するための最良の形態】
【００１４】
以下、本発明の実施の形態の照明装置について、図面を用いて説明する。
（第１実施例）
図１（Ａ）は本発明の第１実施例にかかる照明装置を示す平面図、図１（Ｂ）は（Ａ）中Ｂ−Ｂ位置の断面図、図２は本発明の第１実施例にかかる照明装置のブロック構成図である。
【００１５】
図１および図２に示すように、本発明にかかる照明装置１０は、例えば天井１１に取り付けて使用される。照明装置１０は、取付具１２を介して天井１１に取り付けられる器具本体１３と、器具本体１３に取り付けられる光源である環形の蛍光ランプ１４と、器具本体１３に取り付けられて蛍光ランプ１４を覆うカバー部材１５と、蛍光ランプ１４を点灯させる点灯装置１６と、点灯装置１６を制御して蛍光ランプ１４の光出力を調整する制御部１７を有している。
【００１６】
器具本体１３は角形をしており、いずれかの角部に明るさ検出手段である照度センサ１８が取り付けられている。照度センサ１８が設けられている角部に対応するカバー部材１５の角部には、凹部１５ａが設けられており、照度センサ１８はカバー部財１５の外側に配置されることになる。また、器具本体１３の中央部には反射板１９が設けられており、反射板１９の裏側（内部）に、点灯装置１６や制御部１７が配置されている。
【００１７】
環形の蛍光ランプ１４の一部（端部）には、電力を蛍光ランプ１４に供給するためのランプピン（図示省略）を有する口金部１４ａが設けられている。この口金部１４ａは発光しない。また、口金部１４ａは、蛍光ランプ１４の他の部分からの光を遮る。口金部１４ａは、蛍光ランプ１４の中心点と照度センサ１８が設けられている角部とを結ぶ直線上に配置されている。
【００１８】
従って、照度センサ１８は、蛍光ランプ１４の中心と口金部１４ａを結んだ直線の延長上に設けられることになり、蛍光ランプ１４の自発光が口金部１４ａにより遮られる範囲に位置する。このため、照度センサ１８が被照射面の照度を検知する際に、蛍光ランプ１４の自発光の影響を小さくすることができ、照度を制度良く検出することができる。
【００１９】
図２に示すように、照度センサ１８は制御部１７に接続されており、制御部１７は点灯装置１６を制御して、蛍光ランプ１４の光出力を制御する。すなわち、制御部１７によって制御された蛍光ランプ１４により照らされた被照射面２０の明るさを照度センサ１８が検知し、検知信号を制御部１７に送り、この検知信号に基づいて制御部１７が蛍光ランプ１４の光出力を制御して、被照射面２０の明るさを一定に保持する。
【００２０】
以上、説明した本発明にかかる照明装置１０によれば、蛍光ランプ１４により照らされる被照射面２０の照度を検出する照度センサ１８を、角形の器具本体１３の角部でかつカバー部材１５の外に設けたので、照度センサ１８を一体的に設けながら、蛍光ランプ１４による自発光の影響を小さくして被照射面２０の照度を制度よく検出することができる。このため、照度センサ１８による検出値を受けて制御部１７が蛍光ランプ１４の光出力を制御する際に、周囲の環境の明るさを正確に把握して、環境の明るさを一定に保つように自動制御することができる。
【００２１】
（第２実施例）
次に、本発明の第２の実施の形態の照明装置を図に基づいて説明する。
図３（Ａ）は本発明の第２実施例にかかる照明装置を示す平面図、図３（Ｂ）は（Ａ）中Ｂ−Ｂ位置の断面図である。なお、前述した第１実施形態にかかる照明装置と共通する部位には同じ符号を付して、重複する説明を省略することとする。
【００２２】
図３に示すように、この照明装置１０Ｂでは、角形の器具本体１３の外側に、所定幅（ここでは、例えば一定幅）の枠上の化粧板２１が設けられており、化粧板２１の角部に照度センサ１８が取り付けられている。なお、蛍光ランプ１４の口金部１４ａは、蛍光ランプ１４の中心点と照度センサ１８が設けられている角部とを結ぶ直線上に配置されている。
【００２３】
以上、説明した本発明の第２実施形態にかかる照明装置１０Ｂによれば、前述した第１実施形態にかかる照明装置１０と同様に、照度センサ１８を一体的に設けながら、周囲の環境の明るさを正確に把握して、環境の明るさを一定に保つように自動制御することができる。
【００２４】
また、器具本体１３の外側に張り出す化粧板２１を設け、この化粧板２１に照度センサ１８を取り付けたので、カバー部材１５に凹部１５ａ（図１参照）を設ける必要がなく、製作が容易になる。
【００２５】
なお、本発明の照明装置は、前述した各実施形態に限定されるものでなく、適宜な変形，改良等が可能である。
例えば、前述した各実施形態において、環形の蛍光ランプ１４として円形のものを例示したが、本発明の照明装置は、最外周に口金部を有するらせん状の蛍光ランプにも適用可能である。
【図面の簡単な説明】
【００２６】
【図１】（Ａ）は本発明の第１実施例にかかる照明装置を示す平面図、（Ｂ）は（Ａ）中Ｂ−Ｂ位置の断面図
【図２】本発明の第１実施例にかかる照明装置のブロック構成図
【図３】（Ａ）は本発明の第２実施例にかかる照明装置を示す平面図、（Ｂ）は（Ａ）中Ｂ−Ｂ位置の断面図
【図４】（Ａ）〜（Ｃ）は、各々センサを外部に設けた従来の照明装置を示す斜視図
【図５】センサを内部に設けた従来の照明装置を示す斜視図
【符号の説明】
【００２７】
１０  照明装置
１３  器具本体
１４  蛍光ランプ（光源）
１４ａ  口金部
１５  カバー部材
１６  点灯装置
１７  制御部
１８  照度センサ（明るさ検出手段
２０  被照射面
【図１】
2010073610.tif 000003
【図２】
2010073610.tif 000004
【図３】
2010073610.tif 000005
【図４】
2010073610.tif 000006
【図５】
2010073610.tif 000007